(57)【特許請求の範囲】
【請求項１】
軸受部分により回転軸を介して回転自在に支持されたローラにダイナモメータを連結するとともに、ローラ上に被試験車両の駆動輪を載置し、かつローラの軸受部分にローラに対する垂直方向、前後方向及び左右方向の荷重を測定する荷重測定部を設けたシャシーダイナモメータにおける荷重測定部の検量装置において、ローラの前後方向一端部の下部に回転自在に設けられたプーリと、ローラの前後方向他端部の下部に設けられ、ベルトの一端が取り付けられたベルト取付部と、ベルト取付部から上昇してローラの上半分の周面に掛けられた後、下降してプーリの周面に掛けられたベルトを水平方向に引っ張る荷重印加部と、ベルトに設けられ、ベルトに印加された荷重を測定する荷重センサとを備え、荷重センサの荷重値と荷重測定部の垂直方向荷重値とを比較することを特徴とするシャシーダイナモメータにおける荷重測定部の垂直方向検量装置。
【請求項２】
軸受部分により回転軸を介して回転自在に支持されたローラにダイナモメータを連結するとともに、ローラ上に被試験車両の駆動輪を載置し、かつローラの軸受部分にローラに対する垂直方向、前後方向及び左右方向の荷重を測定する荷重測定部を設けたシャシーダイナモメータにおける荷重測定部の検量装置において、ローラの下端と同じ高さでベルトの一端が取り付けられたベルト取付部と、ベルト取付部からローラの前後方向に水平に延び、ローラの前後方向の半周に掛けられたベルトを水平方向に引っ張る荷重印加部と、ベルトに設けられ、ベルトに印加された荷重を測定する荷重センサとを備え、荷重センサの荷重値と荷重測定部の前後方向荷重値とを比較することを特徴とするシャシーダイナモメータにおける荷重測定部の前後方向検量装置。
【請求項３】
軸受部分により回転軸を介して回転自在に支持されたローラにダイナモメータを連結するとともに、ローラ上に被試験車両の駆動輪を載置し、かつローラの軸受部分にローラに対する垂直方向、前後方向及び左右方向の荷重を測定する荷重測定部を設けたシャシーダイナモメータにおける荷重測定部の検量装置において、
ローラの周面上に取り付けられた取付部材と、取付部材をローラの左右方向に引っ張る荷重印加部と、取付部材と荷重印加部との間に設けられ、取付部材に印加された荷重を測定する荷重センサとを備え、荷重センサの荷重値と荷重測定部の左右方向荷重値とを比較することを特徴とするシャシーダイナモメータにおける荷重測定部の左右方向検量装置。
【発明の詳細な説明】
【技術分野】
【０００１】
この発明は、シャシーダイナモメータにおける荷重測定部の検量装置に関するものである。
【背景技術】
【０００２】
図５（ａ）〜（ｄ）は特許文献１に示された従来のシャシーダイナモメータの検量装置の正面図、側面図、固定具の斜視図及び滑車装置の斜視図である。シャシーダイナモメータは、被試験車両の走行面下に設けられたピット１内に配置されるものであり、ベース２、円筒形状のローラ３、及びベース２に固定されたダイナモメータ（モータでもよい。）４を有している。そして、ローラ３の回転軸５は、ベース２に固定された二つの支柱６により回転自在に支持され、ローラ３の回転軸５の一端は軸トルク計７を介してダイナモメータ４の回転軸８に連結される。軸トルク計７は、ダイナモメータ４の回転軸８とローラ３の回転軸５との間に働く軸トルクを検出する。シャシーダイナモメータは、ピット１の上面に設けた開口１ａに、ローラ３の頂面が露出するように配置される。そして、ローラ３の頂面に被試験車両の駆動輪を載置するとともに、従動輪を固定し、軸トルク計７が検出する軸トルクに応じてダイナモメータ４を制御することによりローラ３と被試験車両の駆動輪との間に所望の力を作用させながら、被試験車両の運転試験を行う。
【０００３】
又、シャシーダイナモメータの検量装置について説明すると、９は固定具であり、ローラ３の円筒形状の両底面に固定された二つの固定板９ａと、二つの固定板９ａ間に架設されたストッパバー９ｂとから成る。１０はメタルベルト、１１は滑車装置、１２は重錘である。そして、メタルベルト１０のローラ３側端部はストッパバー９ｂとローラ３の周面との間に挿通され、メタルベルト１０のローラ３側端部に固着した楔部１０ａがストッパバー９ｂとローラ３の周面との間に嵌合することにより、メタルボルト１０のローラ３側端部がローラ３の周面に固定される。又、メタルベルト１０は、ローラ３の周面上の固定箇所から、ピット１の上面の開口１ａを通ってピット１の上方に延び、図５（ｄ）に示すように、滑車装置１１の滑車１１ａに掛け回される。そして、メタルベルト１０のローラ３側端部と逆側の端部に固定されたフック受け１０ｂに所要数の重錘１２が吊り下げられる。
【０００４】
ここで、このような検量装置を用いたシャシーダイナモメータの検量手順について説明すると、まず、ローラ３の回転位置を固定具９の位置がピット１の開口１ａから露出する位置とし、メタルベルト１０のローラ３側端部を固定具９を用いてローラ３の周面上に固定する。次に、固定具９が最下部となるようにローラ３を回転させ、メタルベルト１０を滑車装置１１の滑車１１ａに掛け回す。そして、所要数の重錘１２をメタルボルト１０に吊り下げ、重錘１２と軸トルク計７の測定値との校正を行う。
【特許文献１】特開２００７−１４７３４５号公報
【発明の開示】
【発明が解決しようとする課題】
【０００５】
ところで、従来のシャシーダイナモメータにおいては、例えば被試験車両を載置した場合のようにローラへの垂直方向の荷重が加わる場合、あるいはアクセル、ブレーキを掛けた場合のようにローラに前後方向の荷重が加わる場合、あるいはローラへ左右方向の荷重が加わる場合もあり、これらの荷重を測定するために、図６に示すように、被試験車両の駆動輪を載置するローラ３の回転軸５の軸受部分１３には、これらのローラに対する上下、前後、左右の荷重を測定する荷重測定部１４が内蔵されている。しかしながら、この荷重測定部１４の検量時には荷重測定部１４を軸受部分１３からいったん取り外し、検量終了後再び軸受部分１３に取り付ける必要があり、荷重測定部１4の検量に手間を要した。
【０００６】
この発明は上記のような課題を解決するために成されたものであり、荷重測定部の検量を容易に行うことができるシャシーダイナモメータの検量装置を得ることを目的とする。
【課題を解決するための手段】
【０００７】
この発明の請求項１に係るシャシーダイナモメータにおける荷重測定部の垂直方向検量装置は、軸受部分により回転軸を介して回転自在に支持されたローラにダイナモメータを連結するとともに、ローラ上に被試験車両の駆動輪を載置し、かつローラの軸受部分にローラに対する垂直方向、前後方向及び左右方向の荷重を測定する荷重測定部を設けたシャシーダイナモメータにおける荷重測定部の検量装置において、ローラの前後方向一端部の下部に回転自在に設けられたプーリと、ローラの前後方向他端部の下部に設けられ、ベルトの一端が取り付けられたベルト取付部と、ベルト取付部から上昇してローラの上半分の周面に掛けられた後、下降してプーリの周面に掛けられたベルトを水平方向に引っ張る荷重印加部と、ベルトに設けられ、ベルトに印加された荷重を測定する荷重センサとを備え、荷重センサの荷重値と荷重測定部の垂直方向荷重値とを比較するものである。
【０００８】
この発明の請求項２に係るシャシーダイナモメータにおける荷重測定部の前後方向検量装置は、軸受部分により回転軸を介して回転自在に支持されたローラにダイナモメータを連結するとともに、ローラ上に被試験車両の駆動輪を載置し、かつローラの軸受部分にローラに対する垂直方向、前後方向及び左右方向の荷重を測定する荷重測定部を設けたシャシーダイナモメータにおける荷重測定部の検量装置において、ローラの下端と同じ高さでベルトの一端が取り付けられたベルト取付部と、ベルト取付部からローラの前後方向に水平に延び、ローラの前後方向の半周に掛けられたベルトを水平の逆方向に引っ張る荷重印加部と、ベルトに設けられ、ベルトに印加された荷重を測定する荷重センサとを備え、荷重センサの荷重値と荷重測定部の前後方向荷重値とを比較するものである。
【０００９】
この発明の請求項３に係るシャシーダイナモメータにおける荷重測定部の左右方向検量装置は、軸受部分により回転軸を介して回転自在に支持されたローラにダイナモメータを連結するとともに、ローラ上に被試験車両の駆動輪を載置し、かつローラの軸受部分にローラに対する垂直方向、前後方向及び左右方向の荷重を測定する荷重測定部を設けたシャシーダイナモメータにおける荷重測定部の検量装置において、ローラの周面上に取り付けられた取付部材と、取付部材をローラの左右方向に引っ張る荷重印加部と、取付部材と荷重印加部との間に設けられ、取付部材に印加された荷重を測定する荷重センサとを備え、荷重センサの荷重値と荷重測定部の左右方向荷重値とを比較するものである。
【発明の効果】
【００１０】
以上のようにこの発明の請求項１によれば、ローラの前後方向一端部の下部にプーリを回転自在に設けるとともに、ローラの前後方向他端部の下部にベルト取付部を設け、このベルト取付部に一端が取り付けられたベルトを上昇させてローラの周面の上半分に掛けた後、下降させてプーリの周面に掛け、このベルトを荷重印加部により水平方向に引っ張ることにより、ローラに垂直方向の荷重を印加しており、このときの荷重を荷重センサにより測定し、荷重センサの荷重値と荷重測定部の荷重値とを比較することにより、荷重測定部の検量を行っており、荷重測定部を取り外すことなく、その垂直方向の検量を容易に行うことができる。
【００１１】
又、請求項２によれば、ベルト取付部にローラの下端と同じ高さで一端が取り付けられ、ローラの前後方向に水平に延びたベルトをローラの前後方向の半周に掛けた後、荷重印加部により逆方向の水平に引っ張ることにより、ローラに前後方向の荷重を印加しており、このときの荷重を荷重センサにより測定し、荷重センサの荷重値と荷重測定部の荷重値とを比較することにより、荷重測定部の検量を行っており、荷重測定部を取り外すことなく、その前後方向の検量を容易に行うことができる。
【００１２】
請求項３によれば、ローラの周面上に取り付けられた取付部材を荷重印加部によりローラの左右方向に引っ張ることにより、ローラに左右方向の荷重を印加しており、このときの荷重を荷重センサにより測定し、荷重センサの荷重値と荷重測定部の荷重値とを比較することにより、荷重測定部の検量を行っており、荷重測定部を取り外すことなく、その左右方向の検量を容易に行うことができる。
【００１３】
なお、上下、前後、左右の荷重印加部１９，２５，３０は、共通のものでよい。
【発明を実施するための最良の形態】
【００１４】
以下、この発明を実施するための最良の形態を図面とともに説明する。図１（ａ），（ｂ）はこの発明の実施最良形態によるシャシーダイナモメータにおける荷重測定部１４の垂直方向検量装置の正面図及び側面図を示し、ローラ３の回転軸５は軸受部分１３により回転自在に支持されるとともに、ダイナモメータ４の回転軸８に連結される。ローラ３の前後方向一端部の下部においてベース２上にプーリ台１５を介してプーリ１６を回転自在に支持するとともに、ローラ３の前後方向他端部の下部においてベース２上にベルト取付部１７を取り付け、ベルト取付部１７にベルト１８の一端を取り付ける。又、同じくローラ３の前後方向他端部の下部においてベース２上に荷重印加部１９を取り付ける。荷重印加部１９においては、ハンドル１９ａを有している。一端がベルト取付部１７に取り付けられたベルト１８は上昇してローラ３の上半分の周面に掛けられた後、下降してプーリ１６の周面に掛けられ、荷重印加部１９により水平に引っ張られる。これにより、ローラ３には垂直方向の荷重が印加される。荷重の大きさは、ハンドル１９ａの操作により調整される。又、荷重の大きさはベルト１８の水平部分に設けられた荷重センサ（ロードセル）２０により測定される。
【００１５】
前記した垂直方向検量装置においては、ローラ３の前後方向一端部の下部にプーリ１６を回転自在に設けるとともに、ローラ３の前後方向他端部の下部にベルト取付部１７を設け、このベルト取付部１７に一端を取り付けたベルト１８を上昇させてローラ３の周面の上半分に掛けた後、下降させてプーリ１６の周面に掛け、このベルト１８を荷重印加部１９により水平方向に引っ張ることにより、ローラ３に垂直方向の荷重を印加しており、このときの荷重を荷重センサ２０により測定し、荷重センサ２０の荷重値と荷重測定部１４の荷重値とを比較することにより、荷重測定部１４の検量を行っており、荷重測定部１４を取り外すことなく、その垂直方向の検量を行うことができる。
【００１６】
図２は実施最良形態によるシャシーダイナモメータにおける荷重測定部１４の前後方向検量装置の縦断正面図を示し、２１，２２はベルト取付台２３上に取り付けられたベルト取付部であり、一対のローラ３の下端と同じ高さでそれぞれベルト２４の一端が取り付けられる。ベルト取付部２１，２２に一端が取り付けられたベルト２４は各ローラ３の前後方向に水平に延び、各ローラ３の前後方向の半周に掛けられた後、ハンドル２５ａを有する荷重印加部２５により前記とは逆方向の水平方向に引っ張られる。なお、ベルト２４が一対のローラ３に同時に掛けられることは無く、どちらか一方ずつに掛けられる。このように、ベルト２４を荷重印加部２５により引っ張ることにより、ローラ３には前後方向の荷重が印加される。荷重の大きさは、ハンドル２５ａの操作により調整される。又、荷重の大きさはベルト２４の水平部分に設けられた荷重センサ（ロードセル）２６により測定される。又、２７は四隅に立設された支柱であり、支柱２７間は連結部材２８により連結され、荷重印加部２５は連結部材２８上に設けられる。
【００１７】
前記した前後方向検量装置においては、ベルト取付部２１，２２にローラ３の下端と同じ高さで一端が取り付けられ、ローラ３の前後方向に水平に延びたベルト２４をローラ３の前後方向の半周に掛けた後、荷重印加部２５により逆方向の水平に引っ張ることにより、ローラ３に前後方向の荷重を印加しており、このときの荷重を荷重センサ２６により測定し、荷重センサ２６の荷重値と荷重測定部１４の荷重値とを比較することにより、荷重測定部１４の検量を行っており、荷重測定部を取り外すことなく、その前後方向の検量を容易に行うことができる。
【００１８】
図３は実施最良形態によるシャシーダイナモメータにおける荷重測定部１４の左右方向検量装置の縦断正面図を示し、図２のＡ−Ａ線縦断側面図である。図４は図３の要部拡大図である。図において、２９はローラ３の周面上に取り付けられた取付部材であり、連結部材２８上には取付部材２９と連結され、取付部材２９をローラ３の左右方向に引っ張る荷重印加部３０が設けられる。取付部材２９と荷重印加部３０との連結部には、取付部材２９に印加された左右方向の荷重を測定する荷重センサ（ロードセル）３１が設けられる。荷重印加部３０にはハンドル３０ａが設けられ、ハンドル３０ａの操作により印加される左右方向の荷重は調整される。
【００１９】
前記した左右方向検量装置においては、ローラ３の周面上に取り付けられた取付部材２９を荷重印加部３０によりローラ３の左右方向に引っ張ることにより、ローラ３に左右方向の荷重を印加しており、このときの荷重を荷重センサ３１により測定し、荷重センサ３１の荷重値と荷重測定部１４の荷重値とを比較することにより、荷重測定部１４の検量を行っており、荷重測定部１４を取り外すことなく、その左右方向の検量を容易に行うことができる。
【図面の簡単な説明】
【００２０】
【図１】この発明の実施最良形態によるシャシーダイナモメータにおける荷重測定部の垂直方向検量装置の正面図及び側面図である。
【図２】実施最良形態によるシャシーダイナモメータにおける荷重測定部の前後方向検量装置の縦断正面図である。
【図３】実施最良形態によるシャシーダイナモメータにおける荷重測定部の左右方向検量装置の縦断正面図である。
【図４】図３の要部拡大図である。
【図５】従来のシャシーダイナモメータの検量装置の正面図、側面図、固定具の斜視図及び滑車装置の斜視図である。
【図６】従来のシャシーダイナモメータの縦断正面図である。
【符号の説明】
【００２１】
３…ローラ
４…ダイナモメータ
５…回転軸
１３…軸受部分
１４…荷重測定部
１６…プーリ
１７，２１，２２…ベルト取付部
１８，２４…ベルト
１９，２５，３０…荷重印加部
２０，２６，３１…荷重センサ
２９…取付部材
【図１】
0005056422.tif 000002
【図２】
0005056422.tif 000003
【図３】
0005056422.tif 000004
【図４】
0005056422.tif 000005
【図５】
0005056422.tif 000006
【図６】
0005056422.tif 000007